(57)【特許請求の範囲】
【請求項１】
抽選を行う抽選手段と、
前記抽選手段の抽選結果の入賞状況に応じて、メインゲームとサブゲームを実行するゲーム制御手段と、
前記メインゲームと、前記サブゲームのそれぞれの進行状況情報を格納する記憶手段とを有し、
前記ゲーム制御手段は、前記サブゲームにおいて、前記メインゲームの実行終了後も前記サブゲームの入賞状況データを前記記憶手段に保持し、
前記ゲーム制御手段は、前記抽選結果の入賞状況に応じてメインゲームとサブゲームを実行する際に、前記メインゲームのビンゴ表において当選が成立した場合に、前記サブゲームのビンゴ表において、その当選成立で有効となった入賞番号に対応する数字欄を有効とする
ことを特徴とする抽選ゲーム装置。
【請求項２】
時刻データを生成する時刻データ生成手段と
電源の切断と再通電を行う電源再通電手段と、
電源切断時の時刻データを前記時刻データ生成手段から記憶手段に格納する電源切断時刻記憶手段と、
前記時刻データ生成手段から得られた再通電時の時刻データと記憶手段に格納された電源切断時の時刻データを比較し所定の時刻を経過したか否かを判定する時刻経過判定手段とを更に有し、
前記時刻経過判定結果が所定の時刻を経過していなかった場合に、前記サブゲームの入賞状況データを該進行状況情報とし、
前記時刻経過判定結果が所定の時刻を経過していた場合には、前記サブゲームの入賞状況データの再設定を行うこと
を特徴とする請求項１の抽選ゲーム装置。
【請求項３】
抽選手段の抽選結果の入賞状況に応じて、メインゲームとサブゲームを実行するステップと、
前記抽選結果の入賞状況に応じてメインゲームとサブゲームを実行する際に、前記メインゲームのビンゴ表において当選が成立した場合に、前記サブゲームのビンゴ表において、その当選成立で有効となった入賞番号に対応する数字欄を有効とするステップと、
前記メインゲームと、前記サブゲームのそれぞれの進行状況情報を記憶手段に格納するステップと、
前記サブゲームにおいて、前記メインゲームの実行終了後も前記サブゲームの入賞状況データを前記記憶手段に保持するステップとをコンピュータに実行させるプログラム。
【発明の詳細な説明】
【技術分野】
【０００１】
本発明は、メダルやトークン等を賭けて、抽選を行い、その抽選結果の状況により、当選か否かを判定して、該判定結果に応じて、所定の配当の払出しを行う抽選ゲーム装置及びそのプログラムに関し、特に、抽選ゲームの継続を促進するための抽選ゲーム装置及びそのプログラムに関する。
【背景技術】
【０００２】
ゲームセンタや遊戯施設では、コンピュータとディスプレイ装置を用いた抽選ゲーム装置が、広く利用されている。この抽選ゲーム装置の中で、ビンゴゲーム装置が知られている（例えば、特許文献１、２）。
【０００３】
このビンゴゲーム装置は、機械式のランダムな番号抽選により、抽選の結果として、入賞した番号を決定し、ディスプレイに表示されたビンゴ表の番号の配列における入賞番号の並びからビンゴ成立（当選）か否かを判別する。
【０００４】
遊戯者は、このディスプレイに表示された初期のビンゴ表の番号配列を見て、抽選ゲームへのベット数量を決定し、例えば、賭けたい枚数のメダルを投入して、ベットをする。そして、このベット数量に応じて、各種の当選状況に対する払出し倍率が変わり、抽選結果による入賞状況に応じて、ビンゴ成立か否かの判定を行い、その結果、ビンゴ成立の場合には、ゲーム装置は、その倍率分のメダル配当の払出しを行う。
【０００５】
又、それ以外の抽選ゲーム装置としては、ディスプレイを用いたカードゲーム装置が知られている。カードゲーム装置においては、例えば、ポーカーやブラックジャック、花札などのゲームがある。遊戯者は、まず、ゲーム装置に対して、メダルやトークン等をゲーム装置のメダル投入口から投入することで、メダルをベットし、ベットした枚数に応じて、ゲーム参加権や払出し配当権を得る。
【０００６】
そして、制御装置によって、ゲーム進行が制御され、乱数等によって決定されたカードが、ディスプレイ等の表示装置に表示され、遊戯者は、その表示結果からゲーム状況を把握し、操作入力装置を操作することで、該表示装置に表示されたトランプや花札等のカード交換やカード追加の選択を行い、結果として所定の役の組み合わせ条件が成立した場合には、制御装置は、そのベット状況に応じた払出しを行う。
【０００７】
これらの抽選ゲームにおいては、遊戯者に何度もプレイを継続させる工夫として、一般にプログレッシブ・ジャックポットと呼ばれる方法で、通常の当選結果払出しと別の払出しを行うことで、遊戯者のプレイ継続を促すシステムが知られている。
【０００８】
具体的には、該遊戯装置又は複数の遊戯装置群に対してベットされた総ベット枚数に対して、所定の方式で一定の大当たり当選用の払出しメダルを積立て、所定の条件に応じて通常の当選に加え、上記積立てメダルの支払いを行う方法が提案されている（例えば特許文献３）。
【０００９】
また、これらのような抽選ゲーム装置において、メインのゲームとは別のサブゲームを行わせることで、遊戯者の興趣を引くアイデアがある。例として、トランプ札を用いたダブルアップゲームが知られている。このダブルアップゲームは、上記のような抽選ゲーム装置において、メインとなるゲームでビンゴ並びの成立や特定のカード役の成立によって、少なくとも一単位以上のメダル配当が有る場合において、メインゲームとは別のゲームとして実行されるものである。
【００１０】
遊戯者は、制御装置が次に表示するトランプカードの数字が所定の数字より大か小かを当てるサブゲームを行い、そのサブゲームの結果が成功の場合に、メインゲームでの当選メダル枚数が倍になったり（ダブルアップ）、サブゲームの結果が失敗の場合に、当選が無効となるものである。このようなダブルアップゲームでは、遊戯者の操作で、繰り返しダブルアップへの挑戦を選択することが可能となっているものが多い。
【００１１】
連続でのダブルアップチャレンジが成功すると、払出し枚数が二倍、四倍、・・・と倍々式に増えていくが、途中一度でも失敗すると払出し枚数がゼロとなるというスリルがある。ダブルアップによる配当の倍増を狙わない場合であれば、サブゲームを選択せずに、当選結果である配当を払出すことも可能である。
【００１２】
このサブゲームであるダブルアップゲームにおいて、更にサブゲームにおいて表示されたカードの数字を用いてビンゴゲームを用い、サブゲーム１回の賭けにおいて、勝負したトランプの数字を、ビンゴ表に埋め込み、その１回の賭けにおいて、ビンゴゲームの成立かを判定し、ビンゴ成立の場合には、ポイントを付与することが、提案されている（例えば、特許文献４）。
【００１３】
この提案は、ビンゴゲームを連動させ、１回の賭けにおいて、遊戯者に、シングルゲームから倍率の高いダブルアップゲームへ積極的に挑戦するモチベーションを与えるアイデアであり、１回の賭けによるゲーム終了で、サブゲームに付随するビンゴカードの各ナンバーへの入賞状況は、クリアされるものであった。
【特許文献１】実公平７−３００４４号公報
【特許文献２】特開２００６−６８１６１号公報
【特許文献３】特開平６−２４６０６８号公報
【特許文献４】実公平８−７９１１号公報（図８乃至図１２）
【発明の開示】
【発明が解決しようとする課題】
【００１４】
上述の通り一般的な抽選ゲームでは、配当倍率が極めて高いが当選発生率が非常に低い一獲千金的なプログレッシブ・ジャックポットと呼ばれる積立て式大当たり、また、メインのゲームにおいて所定の確率で発生するゲーム結果に応じた当たり配当、及び種々のメインゲームに絡んだ各種フィーチャーにより発生するサブゲーム結果などによるおまけ当たり配当などがある。
遊戯者によっては、例えば多少なりとも配当が発生すると、これを契機に、その抽選ゲーム機でのプレイの止め時として、該抽選ゲーム機から別の抽選ゲーム機に移るか、またはゲームを止めてしまう場合がある。
【００１５】
従来の特許文献３の方法は、遊戯者がある特定の遊戯装置又は接続された所定の遊戯装置群で継続してプレイを行うことで積立て式大当たりによる払出し当選枚数が増加することで継続プレイへのモチベーションを与えるものであるが、継続プレイをした場合でも積立て式大当たりの当選発生率への影響は無いため、当該ゲーム装置での継続プレイを促すことには関連しづらいという問題がある。
また、従来の特許文献４の方法は、サブゲームに挑戦することへのモチベーションを与えるものであるが、遊戯者がダブルアップゲームの終了を選択するかもしくは失敗することによるゲームの終了によって、ダブルアップゲームに付随するビンゴサブゲームの各ナンバーへの入賞状況は継続されないため、１回の賭けの終了後、再度このゲーム装置での継続プレイを促すことは、できないという問題がある。
【００１６】
従って、本発明の目的は、抽選ゲームの１回のプレイ終了後も、抽選ゲームの継続プレイを促すための抽選ゲーム装置を提供することにある。
【００１７】
又、本発明の他の目的は、サブゲームに継続性を持たせ、抽選ゲームの１回のプレイ終了後も、抽選ゲームの継続プレイを促すための抽選ゲーム装置及びそのプログラムを提供することにある。
【００１８】
更に、本発明の他の目的は、倍率の高い抽選ゲームであっても、１回のプレイ終了後も、抽選ゲームの継続プレイを促すための抽選ゲーム装置及びそのプログラムを提供することにある。
【００１９】
更に、本発明の他の目的は、配当の異なる各種の当たりを与える抽選ゲームであっても、１回のプレイ終了後も、抽選ゲームの継続プレイを促すための抽選ゲーム装置及びそのプログラムを提供することにある。
【課題を解決するための手段】
【００２０】
本発明の抽選ゲーム装置は、抽選を行う抽選手段と、前記抽選手段の抽選結果の入賞状況に応じて、メインゲームとサブゲームを実行するゲーム制御手段と、前記メインゲームと、前記サブゲームのそれぞれの進行状況情報を格納する記憶手段とを有し、前記ゲーム制御手段は、前記サブゲームにおいて、前記メインゲームの実行終了後も前記サブゲームの入賞状況データを前記記憶手段に保持し、前記ゲーム制御手段は、前記抽選結果の入賞状況に応じてメインゲームとサブゲームを実行する際に、前記メインゲームのビンゴ表において当選が成立した場合に、前記サブゲームのビンゴ表において、その当選成立で有効となった入賞番号に対応する数字欄を有効とする。
【００２１】
又、本発明の抽選ゲーム制御方法は、抽選手段による抽選を行うステップと、ゲーム制御手段により、前記抽選手段の抽選結果の入賞状況に応じて、メインゲームとサブゲームを実行するステップと、前記メインゲームと、前記サブゲームのそれぞれの進行状況情報を記憶手段に格納するステップと、前記サブゲームにおいて、前記メインゲームの実行終了後も前記サブゲームの入賞状況データを前記記憶手段に保持するステップとを有する。
【００２２】
更に、本発明のプログラムは、抽選手段の抽選結果の入賞状況に応じて、メインゲームとサブゲームを実行するステップと、前記抽選結果の入賞状況に応じてメインゲームとサブゲームを実行する際に、前記メインゲームのビンゴ表において当選が成立した場合に、前記サブゲームのビンゴ表において、その当選成立で有効となった入賞番号に対応する数字欄を有効とするステップと、前記メインゲームと、前記サブゲームのそれぞれの進行状況情報を記憶手段に格納するステップと、前記サブゲームにおいて、前記メインゲームの実行終了後も前記サブゲームの入賞状況データを前記記憶手段に保持するステップとをコンピュータに実行させる。
【００２３】
更に、本発明の抽選ゲーム装置は、好ましくは、前記サブゲームは複数の入賞状況に応じた少なくとも２種類以上の当選条件を持ち、該ゲーム制御手段は、何れかの当選条件を満たしたサブゲームの入賞状況のうち、該当選条件を満たした入賞状況データだけを記憶手段より消去する。
【００２４】
更に、本発明の抽選ゲーム装置は、好ましくは、前記ゲーム制御手段は、前記抽選結果の入賞状況に応じてメインゲームとサブゲームを実行する際に、前記メインゲームにおいて当選条件を満たした場合にのみ、前記サブゲームの入賞状況データを有効とする。
【００２５】
更に、本発明の抽選ゲーム装置は、好ましくは、時刻データを生成する時刻データ生成手段と、電源の切断と再通電を行う電源再通電手段と、電源切断時の時刻データを前記時刻データ生成手段から記憶手段に格納する電源切断時刻記憶手段と、前記時刻データ生成手段から得られた再通電時の時刻データと記憶手段に格納された電源切断時の時刻データを比較し所定の時刻を経過したか否かを判定する時刻経過判定手段とを更に有し、前記時刻経過判定結果が所定の時刻を経過していなかった場合に、前記サブゲームの入賞状況データを該進行状況情報とし、前記時刻経過判定結果が所定の時刻を経過していた場合には、前記サブゲームの入賞状況データの再設定を行う。
【発明の効果】
【００２６】
メインゲームと、サブゲームとを設け、且つメインの抽選ゲームのプレイが終了しても、サブのゲームの入賞状況を保持し、サブのゲームの内容を継続するようにしたため、メインゲームで当たりが出ても、サブゲームの履歴を利用した継続プレイを、プレーヤに促すことができる。
【発明を実施するための最良の形態】
【００２７】
以下、本発明の実施の形態を、抽選ゲーム装置、抽選ゲーム処理、他の実施の形態の順で説明するが、本発明は、この実施の形態に限られない。
【００２８】
（抽選ゲーム装置）
図１は、本発明の抽選ゲーム装置の一実施の形態の外観図、図２は、図１の部分構成図、図３は、図１の構成の全体ブロック図である。図１乃至図３は、抽選ゲーム装置として、ゲーム施設のメダルビンゴゲーム機を例にしたものである。
【００２９】
図１に示すように、ビンゴゲーム装置１は、中央に、機械式のランダム抽選を行うためのターンテーブル機構１１が設置され、その周囲に、遊戯者であるプレーヤが対向してプレイするためのサテライト端末８０が、８つ配設されている。なお、８つのサテライト端末８０は、互いに異なる色で彩色されている。
【００３０】
中央のターンテーブル機構１１は、２５個のボールポケット１３および１個の外れ穴１４が形成され、中央が僅かに下方へ凹んだ扁平円錐状の円板であるターンテーブル１２を有する。そして、ターンテーブル１２が回転し、その中に投入されたボール２が、ターンテーブル１２上を転動して、いずれかのボールポケット１３または外れ穴１４に入ることで、入賞番号を決定する。又、ターンテーブル１２の上には、透明板１５が張設されている。
【００３１】
各サテライト端末８０は、操作卓８１に、表示手段である液晶ディスプレイ８５が備え付けられている。操作卓８１には、さらに、操作ボタン８２、メダル投入口８３、メダル払出口８４が設けられている。
【００３２】
液晶ディスプレイ８５には、図４で後述するように、５行５列の格子状の表の中に、「１」〜「２５」の数字が、プレイ毎に異なる配置にて配設されたビンゴ表８６およびゲーム上の必要な情報等が表示される。
【００３３】
図２を参照して、ターンテーブル機構１１を説明する。ターンテーブル機構１１の下には、ボール回収機構３１，ボール識別機構４１，ボール選別機構５１，投入ボール選択機構６１，ボール投入機構７１の各機構が設けられる。
【００３４】
本抽選装置１０で使用されるボール２は、赤，緑，黄の３色のいずれかの色を備えた半透明の樹脂製球体である。ターンテーブル機構１１は、ターンテーブル１２の周囲に、固定されたガイドサークル１６が周設され、且つターンテーブル１２を回転させるテーブル回転駆動機構が構成される。
【００３５】
ターンテーブル１２の最低中心位置に、外れ穴１４が穿孔され、その周囲の３つの同心円上に、ボールポケット１３が、２５個穿孔されている。各ボールポケット１３の近傍には、「１」〜「２５」の数字が、重複なく、所定の位置に付されている。ボールポケット１３の円穴の内周縁に、半透明の発光リング２２が１周に亘って嵌め込まれている。
【００３６】
発光リング２２の内部４箇所に、ＲＧＢ１組のＬＥＤが４組内蔵されていて、ＬＥＤを制御して、発光リング２２を、多数の色の中から、色を選んで、発光させることができる。ターンテーブル１２のボールポケット１３、外れ穴１４に落下したボール２は、ボール回収機構３１のボール受箱３２で受けられ、落下したボール２は、連結通路３３を介して、ボール識別機構４１に案内される。
【００３７】
ボール識別機構４１で、色を識別されたボール２は、ボール選別機構５１に移動する。ボール選別機構５１は、ボール２を、色ごとに待機させておくボールストッカを有し、ボールストッカの各出口が集合し、１つの引渡し口６４を形成している。
【００３８】
そして、引渡し口６４から、連結路６５を経て、ボール投入機構７１に、選択された色のボール２が、引き渡され、ボール投入機構７１により、ターンテーブル１２に投入される。
【００３９】
ボール投入機構７１は、連結路６５から上方のターンテーブル機構１１のガイドサークル１６まで、鉛直に延びるエレベータ装置７２と、ガイドサークル１６の内側にボール２を投入する投入シュート７９とからなる。
【００４０】
エレベータ装置７２は、無端ベルトを回動し、下部のボール２を保持して、上昇する。エレベータ装置７２により上昇されるボール２は、最上昇位置において、投入シュート７９へ転がされる。そして、ボール２は、所定の方向を向いて傾斜した投入シュート７９を転がり落ちて、ガイドサークル１６の内側の円周レーン１６ａに、接線方向に接するように、所定の速度で投入される。
【００４１】
ガイドサークル１６の円周レーン１６ａは、ターンテーブル１２と同一の円錐面をなす。接線方向に投入されたボール２は、円周レーン１６ａ上を、円弧を描くように、転動しつつ、徐々に内側のターンテーブル１２に近づき、ターンテーブル１２に移る。
【００４２】
そして、ボール２とは、逆方向に回転するターンテーブル１２上を、徐々に中心に近づきながら、円弧を描くように旋回する。途中で、いずれかのボールポケット１３に入れば、入賞であり、いずれのボールポケット１３にも入らないときは、最終的に、最下位置にある中心の外れ穴１４に入る。
【００４３】
以上のビンゴゲーム機１の制御系を、図３で説明する。コンピュータ１００は、抽選装置１０および８つのサテライト端末８０を、集中制御する。コンピュータ１００では、ＣＰＵ１０１がＲＯＭ１０２に記憶されたプログラムに従って、ＲＡＭ１０３を適宜利用して、ゲーム処理を行う。
【００４４】
ＣＰＵ１０１は、入出力インタフェース１０４を介して、抽選装置１０におけるターンテーブル機構１１，ボール回収機構３１，ボール識別機構４１，ボール選別機構５１，投入ボール選択機構６１，ボール投入機構７１からの検出信号を入力し、駆動指示信号を出力する。
【００４５】
また、８つのサテライト端末８０は、それぞれ端末制御手段である端末機制御回路９０を備え、コンピュータ１００のＣＰＵ１０１と、入出力インタフェース１０５を介して信号の入出力を行う。
【００４６】
端末機制御回路９０は、サテライト端末８０の操作手段である操作ボタン８２などのセンサの信号を受け、メダル入力機構９１、メダル払出機構９２を駆動制御する。更に、端末機制御回路９０は、画像処理手段９３に画像指示信号を出力し、画像処理手段９３により、液晶ディスプレイ８５に、ビンゴ表などの画像を表示する。
【００４７】
コンピュータ１００は、抽選装置１０と８つのサテライト端末８０とを集中管理しているので、抽選装置１０のボールポケット１３への入賞の入賞番号などを受け、サテライト端末８０の液晶ディスプレイ８５のビンゴ表８６に表示するとともに、この抽選状況を、常に監視している。
【００４８】
コンピュータ１００は、各サテライト端末８０の端末機制御回路９０が、当初作成したビンゴ表の情報（配列データ等）を受信して、全サテライト端末８０のそれぞれのビンゴ表を、ＲＡＭ１０３に、格納する。なお、配列データとは、ビンゴ表に配列された各番号の位置を定めた位置情報である。又、後述するボーナスゲーム用ビンゴ表及びその有効数字を、ＲＡＭ１０３に格納する。
【００４９】
コンピュータ１００は、ボールポケット１３への入賞があるたびに、ターンテーブル機構１１から検出信号を受け取り、入賞があったボールポケット１３に予め定められた番号を判別し、判別した番号と全サテライトの各ビンゴ表の配列データ等に基づいて、所定のアルゴリズムによって、ビンゴ表の抽選状況を判定する。
【００５０】
すなわち、ビンゴ表における入賞番号の場所が一列に何個並んでいるかを算出することで、抽選状況を監視する。例えば、１列に５個並べば、ビンゴ（当選）であり、４個並んでいれば、ビンゴが成立する１歩手前でリーチ状況にある。各サテライト端末８０のデイスプレイ８５には、ボール２の入賞毎に、ビンゴ表の更新表示が行われ、抽選状況をプレーヤが、目視できる。
【００５１】
図４は、各サテライト端末８０のデイスプレイ８５に表示されるビンゴゲーム画面の説明図である。ビンゴゲーム画面は、５×５の升目の各々に、ゲーム開始に、入賞番号が設定されたビンゴ表８６と、投入メダル数に応じた倍率表２８と、ボーナスゲーム用サブビンゴ表２６とを備える。
【００５２】
ビンゴ表８６は、メインのビンゴゲームの入賞状況を表示するものであり、ここでは、図１の２５個のボールポケット１３の各々の数字が、５×５の升目の何れかの升目に対応する形で、重複することなく、表示される。そして、入賞したボールポケット１３の番号は、このビンゴ表の対応する数字位置の升目の色を、入賞していない数字の升目の色と変えることで、表示する。例えば、入賞していない数字の升目を、灰色で表示し、入賞した数字の升目を、赤色で表示する。
【００５３】
次に、倍率表２８は、遊戯者がプレイ開始前にベットしたメダル数と、何れかの直線状に連続した並びで入賞した数字の個数とに応じた倍率を表示する。ここでは、１列に５個並べば、５ビンゴ（一直線上に５個の数字が入賞した当選、通常ゲームでは、高額な当たり）であり、４個並んでいれば、４ビンゴ（一直線上に４個の数字が入賞した当選）であり、３個並んでいれば、３ビンゴ（一直線上に３個の数字が入賞した当選）である。即ち、３種類の当り（当選）を設けている。
【００５４】
倍率表２８の横軸は、ベットによって、有効となった直線への連続した入賞個数を示し、縦軸は、ベットしたメダル数に応じて、プレーヤーに配当として払出しが行われる配当倍率を表示する。ここでは、１回のベットで、５回、ボール２が、投入される例であり、５回の入賞チャンスがある。
【００５５】
更に、ボーナスゲーム権利獲得用ビンゴ表２６は、本発明のサブゲームの目的として設けられたものであり、縦横５×５配列の升目に、メインのビンゴ表とは、異なる数字配列が設定される。後述するように、ボーナスゲーム権利獲得用ビンゴ表２６は、メインのビンゴゲームで、３個以上の連続した数字への入賞による当選が成立した場合に、その当選成立で有効となった入賞番号全部又は最後の入賞番号のみに対応する数字欄を有効とされる。
【００５６】
又、このボーナスゲーム権利獲得用ビンゴ表２６では、直線状に５個入賞した場合にのみ、ボーナスゲームへの参加を可能とする。メインのビンゴ表８６の有効数字は、１ゲーム毎に、クリアされ、継続性はないが、ボーナスゲーム権利獲得用ビンゴ表２６は、１ゲーム終了で、クリアされず、有効数字が１列揃うまで、有効である。
【００５７】
そして、ボーナスゲーム獲得用ビンゴ表２６では、直線状に５個入賞した場合（Ｂｉｎｇｏ発生）によって、そのＢｉｎｇｏ発生した有効数字は、オフとなる。
【００５８】
即ち、メインのビンゴゲームで、ビンゴ（当選）成立することにより、ボーナスゲーム権利獲得用ビンゴ表２６での継続チャンスが発生する仕組みとしている。このボーナスゲーム権利獲得用ビンゴ表２６は、１回の通常のビンゴゲームが終了しても、クリアされず、残って、継続使用できるため、通常のビンゴゲーム終了後に、プレーヤに、自身のゲーム履歴によって、有効となっているボーナスゲーム権利獲得状況を利用したいという動機付けを与えることができる。このため、プレーヤに、連続したプレイの継続を促すことができる。
【００５９】
（抽選ゲーム処理）
図５は、本発明の一実施の形態の抽選ゲーム全体処理フロー図、図６は、図５の通常ゲーム処理フロー図、図７は、図６のプレイ中のゲーム画面の説明図、図８は、メインビンゴ表とサブビンゴ表との関係図、図９は、サブビンゴ表でのビンゴ成立時の画面説明図、図１０は、サブビンゴ表でのビンゴ成立後の画面説明図である。
【００６０】
先ず、全体処理を、図５で説明する。
【００６１】
（Ｓ１）先ず、図１１で詳細に説明する再通電処理を実行する。
【００６２】
（Ｓ２）次に、図６で詳細に説明する通常ゲーム処理を実行する。
【００６３】
（Ｓ３）通常ゲーム処理で、特殊なエラーが、発生すると、終了し、発生しないと、ステップＳ２に戻る。
【００６４】
次に、図６の通常ゲーム処理を、図７乃至図１０を使用して、説明する。
【００６５】
（Ｓ１０）コンピュータ１００は、そのサテライト端末８０に、後述するボーナスゲームの権利があるかを判定する。コンピュータ１００は、ボーナスゲームの権利があると、ボーナスゲームの受付処理を行う。このボーナスゲームには、通常のゲーム参加に必要なメダルによるベットを要しないで、ビンゴゲームをプレイできる。このボーナスゲームの権利があるということは、すなわちその前の回においてそのサテライト端末において誰かしらがメダル遊戯（抽選ゲーム）を行っていたということであり、この場合は前回のゲーム終了後にボーナスゲーム開始演出を行った上で自動的にボーナスゲームが開始される。一方、コンピュータ１００は、ボーナスゲームの権利がないと判定すると、通常ゲームの受付処理を行う。通常ゲームでは、メダルによるベットの必要がある。このゲーム開始前の各サテライト端末８０のゲーム画面は、図４で説明したものである。
【００６６】
（Ｓ１２）通常ゲームでは、ゲームに参加するにあたり、メダル投入によるベットの必要がある。プレーヤは、図４のビンゴ表８６や、ボーナスゲーム権利獲得用ビンゴ表２６、倍率表２８を見て、所望のメダルを、メダル投入口８３へ投入し、ベットする。コンピュータ１００は、ゲーム参加受付開始の時点から所定時間経過しても、プレーヤが、全くベットしない場合は、そのサテライト端末８０でのゲームへの参加が無いものとして、参加受付を終了とする。
【００６７】
（Ｓ１４）コンピュータ１００は、ベットが行われると、当該サテライト端末において、プレーヤが、ゲームに参加したと判断し、前述の抽選装置の動作を開始し、抽選状況の監視を開始する。図７は、ゲーム中の各サテライト端末８０のゲーム画面を示す。図１のビンゴゲーム装置１では、１回のベットで、５球のボール２が、ターンテーブル１１に投入され、その各ボールの投入毎に、入賞番号、外れが決定される。前述のように、コンピュータ１００は、決定毎に、ＲＡＭ１０３の各サテライト端末８０のビンゴ表を更新し、抽選状況を判定する。又、コンピュータ１００は、サテライト端末８０に、この決定内容と判定内容を送り、図６のように、画面に表示する。
【００６８】
（Ｓ１６）そして、コンピュータ１００は、１回のベットでの５球のボール２の投入による入賞結果の並びから払出しの当選が発生したか否か、つまり、ビンゴしたか否かを判定する。３並び、４並び、５並びのいずれのビンゴも成立しない場合には、プレーヤーの負けとして、そのサテライト端末８０のゲームを終了する。即ち、メインのビンゴ表８６をクリアする。逆にコンピュータ１００は、ビンゴ成立と判定すると、ＲＡＭ１０３のボーナスゲーム権利獲得用ビンゴ表（ボーナスカード）２６の対応する入賞番号の有効マスを決定する。
【００６９】
（Ｓ１８）コンピュータ１００は、メインのビンゴ表８６におけるビンゴが成立した際の４球目及び５球目に投球された入賞マスの番号を、ボーナスゲーム権利獲得用カード２６の該当する数字番号のマスを、有効マス（番号）に決定する。これをＲＡＭ１０３に格納するとともに、図７のゲーム画面に表示する。図８は、その画面での様子を示す。メインのビンゴ表８６で、３個の番号（２０，２３，１４）が直線状に揃ったビンゴ（３ビンゴ）成立時に、そのビンゴ成立が、全体で５つの球が投球されるボール２の４球目か５球目の投球であった場合で、その投球によって入賞した番号「２０」が入賞した場合に、ボーナスカード２６の番号「２０」のマスが有効となる。例えば、そのマスの色が変化する。
【００７０】
（Ｓ２０）コンピュータ１００は、ＲＡＭ１０３のボーナスゲーム権利獲得のためのサブのビンゴ表データを参照して、入賞している番号の並びが、一直線上に５個入賞している列が、少なくとも１列以上あるか否かを判定する。ここでは、図９に、５個の番号（１６，６，２０，９，４の５個の数字）が１列に揃った例を示す。コンピュータ１００は、この時点で、サブカード２６に少なくとも１列以上のラインが揃っていないと判定すると、その回のゲームを終了する。この場合、ＲＡＭ１０３のメインのビンゴ表８６はクリアされるが、ＲＡＭ１０３のボーナス用ビンゴ表（ボーナスカード）２６の有効マスは、クリアされず、継続する。
【００７１】
（Ｓ２２）コンピュータ１００は、サブのビンゴ表２６で、図９のように、５個の番号が１列揃ったと判定すると、先ず、図９のように、サテライト端末８０のボーナスカードのビンゴ表２６に、その部分を枠表示する。そして、コンピュータ１００は、ボーナスカードのビンゴ表の揃ったマスを、図１０に示すように消去する。ＲＡＭ１０３では、該当する有効マスの入賞状況を示すデータを消去し、サテライト端末の画面では、有効マス表示を、非有効マス表示に戻す。そして、コンピュータ１００は、ボーナスゲームの権利を付与し、次のゲームは、自動的に、ボーナスゲームが開始する情報に表示を行い、プレーヤに対してその旨を通知する。そして、ＲＡＭ１０３に、そのサテライト端末に対応して、ボーナスゲームの権利有りという情報を格納する。そして、コンピュータ１００は、ゲームを終了する。この場合、ＲＡＭ１０３のメインのビンゴ表８６はクリアされるが、ＲＡＭ１０３のボーナス用ビンゴ表（ボーナスカード）２６の有効マスは、クリアされず、継続する。
【００７２】
このボーナスゲームは、図７の例では、メインゲームである通常のビンゴゲームとほぼ同じであるが、通常の場合に必要なゲーム参加のためのベットが不要である。この際のベット枚数は、そのサテライト端末において、過去にベットされた累積メダル枚数から所定の方法によって決定される。ボーナスゲーム参加プレーヤは、メダルを賭けることなく、配当による払出しを受けることが出来る。また、通常では、多数のベットを行わないと有効にならない各種のおまけ入賞フィーチャが、全て有効になる等ボーナスゲーム参加プレーヤに対して、非常に有利な内容となっている。
【００７３】
この例では、画面上部に表示されるおまけ当選機能（フィーチャ）である６つのフィーチャ２４が、全て有効となった状態でのビンゴゲームである。このフィーチャは、例えば、前述のボール２の入賞順番が、制御装置によって決定された特定の色の順でランダムに入賞した場合に、通常の当選配当とは別に特殊当選として配当が行われる権利や、ビンゴ表の縦横５マスの配列の所定の配置の数字に入賞した場合に、特殊当選として配当が行われる権利や、ビンゴ表の４つのコーナーに入賞した場合に、特殊当選として配当が行われる権利や、予め所定の箇所（例えば中央マス）が入賞した状態でビンゴゲームが開始し、通常の５球の入賞に加えて当選確率が更に上昇する権利等の他に、倍率をアップしたりする等の様々な特典を受けられるようにしたものである。
【００７４】
このように、メインのビンゴ表によるゲームに加えて、サブのビンゴ表を設け、メインのビンゴゲームの入賞結果を、サブのビンゴ表の入賞状況に反映し、且つ１回のビンゴゲームが終了しても、サブのビンゴ表の入賞状況の内容を継続するようにしたため、メインのビンゴゲームで当たり（配当）が出た場合に、サブのビンゴ表の履歴を利用した権利獲得チャンスによる特典をプレーヤに対して提示することで、抽選遊戯装置での継続プレイを、プレーヤに促すことができる。
【００７５】
このため、プレーヤのゲームに対する興味を増幅することができ、且つゲーム施設側の装置も、プレイの継続による稼働率の向上を期待できる。
【００７６】
又、サブのビンゴ表で、ビンゴとなると、ボーナスゲームを実行でき、且つそのボーナスゲーム権利が一度獲得された場合でも、サブのビンゴ表からはそのボーナスゲームに関連したビンゴ成立の有効マスのみ削除されるため、該サテライト端末において、プレイを継続しても、サブのビンゴ表のそれ以外の有効マスは、継続して利用することができるため、ボーナスゲーム権利獲得へのリーチ状態を継続しやすくなり、ボーナスゲーム権利を目的としたプレーヤへの更なる継続プレイを促すことができる。
【００７７】
更に、メインゲームのビンゴ成立で、サブのビンゴ表に、有効マスを設定するため、プレイを終了しがちな、ビンゴ成立で当たりによる配当を得たプレーヤに、特に、継続プレイを促すことができる。ビンゴ成立時も、ビンゴ成立した全番号を、サブのビンゴ表で有効にするのではなく、１部（全５球の投球の内の４球目や５球目）の入賞番号のみを有効とするため、サブのビンゴ表が直ちに有効マスで埋まることを防止し、且つ序々に、サブのビンゴ表に、有効マスが設定されていくため、プレーヤの興味を失うことなく、継続プレイを促すことができる。
【００７８】
次に、このサブのビンゴ表をクリアする方法を説明する。図１１は、ゲーム装置の電源起動時のゲーム処理フロー図である。
【００７９】
（Ｓ３０）電源が再通電されると、メインとなるコンピュータ１００が動作し、コンピュータ１００に記録されている電源切断時の時刻データを取得する。
【００８０】
（Ｓ３２）そして、入出力インタフェース１０５を経由して各サテライト端末８０の端末機制御回路９０の記憶装置に記憶されている各サテライト端末の電源切断時のボーナスカード２６の番号配列及び入賞配列状況を読み込む。
【００８１】
（Ｓ３４）次に、コンピュータ１００は、コンピュータ内の時計装置（図示せず）から現在の時刻データを取得し、ボーナスカード２６の有効マスのクリア時点かを判断する。ここでは、ゲーム施設は、最長、２６時（午前２時）までしか運営できないという規則があるため、２６時に、閉店する。このため、コンピュータ１００は、電源起動時（電源切断後の再起動）が、所定の時間帯（２６時）を跨いでいるかを判定する。所定の時間帯を跨いでいない場合には、ステップＳ３８に進む。
【００８２】
（Ｓ３６）一方、所定時間帯を跨いでいる場合には、コンピュータ１００は、ＲＡＭ１０３で残っているサブのボーナスカードの有効マスをクリアする。そして、ボーナスカードの番号配列を変更する。そして、
コンピュータ１００は、ボーナスカード２６に有効マスを再設定する。
【００８３】
この場合、コンピュータ１００は、メインコンピュータ内の記憶装置ＲＯＭ１０２に、予め複数のボーナスカードの配置パターンを記憶しておくことで、幾種類もの電源再投入時のボーナス権利獲得用サブビンゴカードの各マスへの入賞状態配列パターンを用意しておく。そして、その中から何れかの配列パターンを乱数又は所定の方法などで選択を行い、該配列に基づいてサブビンゴカードの入賞状態の設定を行う。
【００８４】
また、それ以外にも、電源切断時の番号配列及び入賞配列状況の何れかもしくはその両方をそのまま用いても良い。仮に何れかもしくは両方を用いてサブビンゴカードの入賞状況を設定した場合には、その配置パターンが特別に有利にならないように、有効マスを再設定した後に、その配列においてリーチやビンゴが成立しているか否かを判定し、その判定結果に応じて再設定や入賞状況を変更するようにしても良い。
【００８５】
その場合、リーチやビンゴが成立していない場合には、その配置パターンをそのまま用いる。一方、リーチやビンゴが成立している場合には、他の配置パターンを選択し、有効マスを再設定し、リーチやビンゴが成立するかを判定する。最終的に、コンピュータ１００は、有効マスを再設定したリーチやビンゴが成立しない配置パターンを、ボーナスカード２６に採用する。
【００８６】
（Ｓ３８）一方、所定時間帯を跨いでいない場合には、コンピュータ１００は、ステップＳ３２で取得した電源切断時の各サテライトのデータを継続する。
このようにして、サブのボーナスカードで有効となった番号は、再度、電源が投入された場合、所定の時間帯をまたいで、再通電された場合にのみ、リセット（再設定）される。所定の時間帯をまたがなかった場合には、そのままの状態で継続される。
【００８７】
又、サブカードリセットの場合、入賞した番号はそのままで、各番号の位置だけを、ランダムに再配置しても良い。又は、所定のサブカードリセット配置パターンが複数設定されている中から、何れかのパターンに設定されても良い。
【００８８】
これにより、例えば一時的な停電等の事故による電源切断の場合には、サブカードへのボーナス権利獲得に対するビンゴの入賞状況は継続され、プレーヤの継続プレイを促進するという目的は達成される。また通常の営業終了によって電源が切断されて翌日以降に再通電された場合にはそのボーナス権利獲得状況が全てのサテライト端末席において不公平なく再設定されるため、通常の営業再開後において、特に、不公平による偏りなく、プレーヤがゲームを行うことができ、席毎の人気、不人気によるトラブルなく、営業を行うことができる。
【００８９】
（他の実施の形態）
抽選ゲーム装置を、ビンゴゲーム装置で説明したが、アレンジボールゲーム装置、スマートボールゲーム装置等の他の抽選ゲーム装置に場合であっても、何らかの抽選で当選か否かを判定し、その抽選結果に応じて配当を得るゲーム装置にも適用できる。以上、本発明を実施の形態により説明したが、本発明の趣旨の範囲内において、本発明は、種々の変形が可能であり、本発明の範囲からこれらを排除するものではない。
【産業上の利用可能性】
【００９０】
メインゲームに加え、サブゲームを設け、且つメインゲームのプレイが終了しても、サブゲームの入賞内容を継続するようにしたため、メインゲームで当たりが出ても、サブゲームの履歴を利用した継続プレイを、プレーヤに促すことができる。
【図面の簡単な説明】
【００９１】
【図１】本発明の抽選ゲーム装置の一実施形態を示す構成図である。
【図２】図１の抽選ゲーム装置の機構図である。
【図３】図１の抽選ゲーム装置のブロック図である。
【図４】図１乃至図３の抽選ゲーム装置のゲーム画面の説明図である。
【図５】図３の構成の全体処理フロー図である。
【図６】図５の構成の抽選ゲーム処理フロー図である。
【図７】図６の抽選ゲーム処理のゲーム画面の説明図である。
【図８】図６の抽選ゲーム処理のボーナスカードの有効マス設定処理の説明図である。
【図９】図６の抽選ゲーム処理のボーナスカードのビンゴ成立の説明図である。
【図１０】図６の抽選ゲーム処理のビンゴ成立後のボーナスカードの有効マス消去処理の説明図である。
【図１１】図５の構成の電源投入時のビンゴ表設定処理フロー図である。
【符号の説明】
【００９２】
１  抽選ゲーム装置
２  ボール
１１  ターンテーブル機構
１３  ボールポケット
２６  サブビンゴ表（ボーナスカード）
８０  サテライト端末
８１  操作卓
８３  メダル投入口
８４  メダル払い出し口
８５  表示装置
８６  ビンゴ表
１００  コンピュータ
１０１  ＣＰＵ
１０３  ＲＡＭ
【図１】
0005098468.tif 000002
【図２】
0005098468.tif 000003
【図３】
0005098468.tif 000004
【図４】
0005098468.tif 000005
【図５】
0005098468.tif 000006
【図６】
0005098468.tif 000007
【図７】
0005098468.tif 000008
【図８】
0005098468.tif 000009
【図９】
0005098468.tif 000010
【図１０】
0005098468.tif 000011
【図１１】
0005098468.tif 000012